(57)【要約】【課題】水底の汚泥を浚渫装置で浚渫する時に、水中で汚泥が拡散するのを防止できるとともに、その浚渫装置をラダーを介して設けた浚渫船の船体の動揺によっても、浚渫装置が水底面に追従して汚泥が拡散することがない浚渫船を提供する。【解決手段】浚渫船１から下方に向かってラダー２を前後方向に揺動自在に設け、ラダー２の先端に設けた浚渫用バケット５もまた別個に前後方向に揺動するごとく取付け、かつラダー自体も左右方向に傾動自在とする。【選択図】        図１
2004182146.tif 000002
【特許請求の範囲】
【請求項１】
浚渫船から下方に向かってラダーを前後方向に揺動自在に設け、そのラダーの先端に設けた浚渫用バケットもまた別個に前後方向に揺動するごとく取付け、しかもラダー自体が浚渫船の左右方向に傾動自在とした浚渫船。
【請求項２】
ラダーの前後方向に２個の浚渫用バケットを夫々の開口が対向するごとく、かつ互いに揺動自在に取付け、各バケット内に真空ポンプに通ずる吸引管を導入した請求項１記載の浚渫船。
【請求項３】
バケットで捕集した底泥を圧送ポンプにより圧送し、バケットに付着した底泥とバケットで捕集する際に発生した濁り水を吸引ポンプで吸引して底泥と共に圧送ポンプで圧送する回転式浚渫用バケットを備えた請求項１記載の浚渫船。
【発明の詳細な説明】
【０００１】
【発明の属する技術分野】
本発明は、ダイオキシン等で汚染されている海や湖沼等の水底の汚泥を浚渫する際に、浚渫に伴う汚泥の拡散を防止できる浚渫船に関する。
【０００２】
【従来の技術】
ダイオキシン等で汚染されている底泥を浚渫により水底から取り除く際、水中で汚泥が拡散することを防止することが強く要請されている。
【０００３】
しかし、水中で汚泥を拡散させない浚渫装置の構造は、今まで検討されておらず、また、水底の汚泥を、浚渫船から水底に向かって設けられたラダーの先端に浚渫装置を取り付けて浚渫を行なう際、その浚渫装置が浚渫船の船体の動揺によって傾斜して水底面に追従できないと底泥を水中で掻きまぜて汚泥を拡散することになる。
【０００４】
【発明が解決しようとする課題】
本発明は、水底の汚泥を浚渫装置で浚渫する時に、水中で汚泥が拡散するのを防止できるとともに、その浚渫装置をラダーを介して設けた浚渫船の船体の動揺によっても、浚渫装置が水底面に追従して汚泥が拡散することがない浚渫船を提供する。
【０００５】
【課題を解決するための手段】
本発明は、浚渫船から下方に向かってラダーを前後方向に揺動自在に設け、そのラダーの先端に設けた浚渫用バケットもまた別個に前後方向に揺動するごとく取付け、しかもラダー自体も浚渫船の左右方向に傾動自在とした浚渫船からなり、また本発明は、上記の浚渫船のラダーの前後方向に２個の浚渫用バケットを夫々の開口が対向するごとく、かつ互いに揺動自在に取付け、各バケット内に真空ポンプに通ずる吸引管を導入した浚渫船からなり、さらに本発明は、バケットで捕集した底泥を圧送ポンプにより圧送し、バケットに付着した底泥とバケットで捕集する際に発生した濁り水を吸引ポンプで吸引して底泥と共に圧送ポンプで圧送する回転式浚渫用バケットを備えた浚渫船からなる。
【０００６】
【発明の実施の形態】
以下図面を参照して本発明の浚渫船の実施の形態につき説明する。
【０００７】
図１は、その一実施形態における浚渫船１の船体の側面図であり、図２はその平面図であり、また図３はその浚渫船１から下方に、前後方向に揺動自在に設けるラダー２の説明用拡大側面図である。さらに図４はそのラダー２の先端に回転式の浚渫用バケット５′を設けた状態の平面図、図５は図４の側面図である。
【０００８】
上記ラダー２の浚渫船１との取り付け部には、図３に示す浚渫面傾斜ジャッキ３を巾方向に２本配置しており、このラダー２の先端には船体側の傾斜計等で検知した船体の動揺を打ち消すように作動する４本の船体動揺吸収シリンダー４を介して浚渫用バケット５，５′を配置している。
【０００９】
さらに、この浚渫用バケット５，５′の取り付け部と、ラダー２とをピン６を介して回動可能に連結し、浚渫用バケット５，５′とラダー２との間に巾方向に浚渫装置水平調整ジャッキ７を２本配置している。
【００１０】
即ち、浚渫船１の下方に前後方向に揺動自在に設けたラダー２の先端に設けた浚渫用バケット５，５′もまた別個に前後方向に揺動するごとく取り付けられており、しかもラダー２自体も浚渫面傾斜ジャッキ３，３の調節により左右に傾動することにより、浚渫船１の左右方向に傾動自在となっている。
【００１１】
なお、この実施形態の浚渫船１は、水深１５ｍ対応のものとし、水中で汚濁を発生させやすいスパット打ち替えをなくするため、ワイヤー９による前後方向の直線移動をする方式のものを採用し、さらに上記のごとく、ラダー２を下げることによって角度のついた浚渫用バケット５，５′を、浚渫装置水平調整ジャッキ７により調整し、船体の動揺は、船体動揺吸収シリンダー４により吸収することにより、船体の挙動、地盤の不陸に影響されずに浚渫を行なうことができる。
【００１２】
さらに、浚渫方向に直角な水底面の傾斜に追従するように、ラダー２の船体側の上端部には浚渫面傾斜調整ジャッキ３が、図４のＡ−Ａ方向正面図の図６のごとく巾方向に２本設けられており、浚渫面の傾斜に応じて図８のごとく各ジャッキ３，３のシリンダーが追従し、傾斜に沿った浚渫を行なうことができる。
【００１３】
次に、本発明の実施の形態で使用されている浚渫用バケット５，５′として、図１に示す開閉式バケット５と、図５に示す回転式バケット５′の２種類につきそれぞれ図面を参照して説明する。
【００１４】
まず、図９の開閉式の浚渫バケット５では、図１のごとく配置されたラダー２の先端部に前後方向に２個のバケット５Ａ，５Ｂを夫々の開口が対向するごとく、かつ互いに揺動自在に取り付けられており、各バケット５Ａ，５Ｂ内に矢印Ａ方向の真空ポンプに通ずる吸引管１０を導入するようにしたものであり、底泥の浚渫時にバケット５Ａ，５Ｂの開口部の先端のみが底泥に接して開閉可能で、閉じた時には密閉できるバケットを前後両側に配置しており、各バケット５Ａ，５Ｂの付け根部分に真空ポンプに通ずる吸引管１０を配置している。
【００１５】
図１０は、図９のバケット５の拡大平面図であり、図１１は図１０の側面図であり、底泥１１を一方のバケット５Ａが浚渫時に、バケット５Ａが底泥１１と触れる部分が最小限となるように、かつバケット５Ａ内の底泥が吸引管１０付近に移動しやすいようにバケットの形状をその開口部から後方に向かって外側面が絞られて形成しており、浚渫時の水中の汚濁発生を少なくしており、図１１の状態で浚渫を矢印Ｆ方向に進行した後、前後の各バケットの開閉を逆にして矢印Ｆと反対方向に浚渫を行なうが、図１０に浚渫の掘り幅Ｗを示しており、この開閉式の浚渫バケット５の格納状態を図１２に示している。
【００１６】
この開閉式の浚渫バケット５では、バケット５Ａ，５Ｂが底泥１１と触れる部分がバケットの開口部の周面だけの最小限となっており、かつ真空ポンプで浚渫した底泥１１を濁水と共に吸引するため、水中の汚泥の拡散が防止できる。
【００１７】
次に、図１３は回転式の浚渫用バケット５′の側面図であり、図１４はその説明用拡大平断面図、図１５は図１４のＣ−Ｃ方向の側面図、図１６は図１４のＤ−Ｄ方向の側面図、そして図１７は図１４のＥ−Ｅ方向の側断面図である。
【００１８】
この回転式の浚渫用バケット５′は、２枚の平行なサイドプレート１４の間に、複数の羽根で仕切られた底部開放のバケット５ａを配置し、このバケット５ａの回転により捕集した底泥は上部に開口２２を有する貯泥タンク２１内へ上部開口２２から入り、圧送ポンプ１３によりラダー２内の送泥管２０を介して浚渫船１に排出されて回収される。
【００１９】
また、バケット５ａの上方をカバー１２で覆い、カバー１２の両端外側に濁り水吸引口１７を配置し、カバー１２の外側に設けた濁り水吸引用ポンプ１６でカバー１２の下方外側の濁り水を吸引してカバー１２の外側の集水管３０へ導き、集水管３０からカバー１２の内側に水噴射ノズル１８を配置し、濁り水吸引口１７からその部分の隙間の汚泥と濁り水を吸引して水噴射ノズル１８で浚渫用バケット５′内に排出させ、バケット５ａに浚渫土が付着するのを防止する。
【００２０】
さらに、上記上両方のサイドプレート１４の外側には、サイドプレート洗浄用の洗浄ブラシ付の濁り水吸引口１５を配置しており、濁り水吸引用ポンプ１６で濁り水を吸引して集水管３０に導いて水噴射ノズル１８から浚渫用バケット５′内に排出させる。なお、カバー１２は、突起３１に嵌合したガイドプレート３２を図示していない油圧シリンダで動かすことにより浚渫する方向に開口するようにしており、カバーの両端外側に配置した濁り水吸引口１７は下方に位置した吸引口のみ作動させる。
【００２１】
以上に説明した回転式の浚渫バケット５′は、バケット５ａに付着する汚泥を吸引し、バケット５ａに付着する底泥を水噴出ノズル１８で洗浄すると共にサイドプレート１４に付着する汚泥を洗浄して付近の濁り水と一緒に吸引するので、浚渫時の汚泥の水中への拡散を防止できる。
【００２２】
【発明の効果】
本発明の浚渫船によれば、水底の汚泥を浚渫装置で浚渫時に、水中で汚泥が拡散するのを防止できる構造になっていると共に、船体動揺や底泥の凹凸にも追従できる構造となっているので、浚渫時の汚泥の拡散を防止することが可能であり、特に本発明は、ダイオキシン等で汚染されている底泥を浚渫する際に、汚泥の水中拡散を防止する上で有効である。
【図面の簡単な説明】
【図１】本発明の浚渫船の船体の側面図である。
【図２】図１の船体の平面図である。
【図３】図１の船体の下方に設けたラダーの説明用拡大側面図である。
【図４】図３のラダーの先端に回転式の浚渫用バケットを設けた平面図である。
【図５】図４の側面図である。
【図６】図１のラダーの船体側に設けた船体動揺吸収装置の水平な浚渫地盤における調整状況の正面図である。
【図７】図６のＢ−Ｂ方向の側面図である。
【図８】図６の装置の傾斜した浚渫地盤における調整状況の正面図である。
【図９】図１に示す開閉式の浚渫用バケットの側面図である。
【図１０】図９の拡大平面図である。
【図１１】図１０の側面図である。
【図１２】図９のバケット格納状態を示す側面図である。
【図１３】図５のラダーの先端に設けた回転式の浚渫用バケットの側面図である。
【図１４】図１３の浚渫用バケットの説明用拡大平断面図である。
【図１５】図１４のＣ−Ｃ方向の側面図である。
【図１６】図１４のＤ−Ｄ方向の側面図である。
【図１７】図１４のＥ−Ｅ方向の側断面図である。
【符号の説明】
１    浚渫船
２    ラダー
５    浚渫用バケット
１０    吸引管
１３    圧送ポンプ
１４    サイドプレート
１６    吸引ポンプ
【図１】
2004182146.tif 000003
【図２】
2004182146.tif 000004
【図３】
2004182146.tif 000005
【図４】
2004182146.tif 000006
【図５】
2004182146.tif 000007
【図６】
2004182146.tif 000008
【図７】
2004182146.tif 000009
【図８】
2004182146.tif 000010
【図９】
2004182146.tif 000011
【図１０】
2004182146.tif 000012
【図１１】
2004182146.tif 000013
【図１２】
2004182146.tif 000014
【図１３】
2004182146.tif 000015
【図１４】
2004182146.tif 000016
【図１５】
2004182146.tif 000017
【図１６】
2004182146.tif 000018
【図１７】
2004182146.tif 000019